(57)【要約】【課題】スイングの軌道を安定させ、飛距離を大きくすることが可能となるスイング訓練装置を提供することを目的とする。【解決手段】支持体と、この支持体に取り付けられた円環状の上部ガイドレールと、この上部ガイドレールにほぼ平行に支持体に取り付けられた円環状の下部ガイドレールと、上部ガイドレールおよび下部ガイドレールに係合し、回動可能に支持された可動体と、この可動体に取り付けられるグリップとを備え、上部ガイドレールの垂直面および水平面と、下部ガイドレールの垂直面に対向して回転可能なローラを可動体に設け、可動体を上部ガイドレールおよび下部ガイドレールに沿って回動可能とするようにした。【選択図】図５
2018000655.tif 000002
【特許請求の範囲】
【請求項１】
支持体と、この支持体に取り付けられた円環状の上部ガイドレールと、この上部ガイドレールにほぼ平行に前記支持体に取り付けられた円環状の下部ガイドレールと、前記上部ガイドレールおよび前記下部ガイドレールに係合し、回動可能に支持された可動体と、この可動体に取り付けられるグリップとを備え、
前記上部ガイドレールは垂直面および水平面を有するとともに、前記下部ガイドレールは垂直面を有し、かつ、前記可動体は前記上部ガイドレールの垂直面および水平面と、前記下部ガイドレールの垂直面に対向してそれぞれ回転可能に設けられたローラを有し、前記可動体を前記上部ガイドレールおよび前記下部ガイドレールに沿って回動可能としたことを特徴とするスイング訓練装置。
【請求項２】
前記上部ガイドレールをＨ形鋼、Ｔ形鋼またはジョイスト鋼により形成したことを特徴とする請求項１に記載のスイング訓練装置。
【請求項３】
前記下部ガイドレールをＬ形鋼またはＩ形鋼により形成したことを特徴とする請求項１または２に記載のスイング訓練装置。
【請求項４】
前記ローラは前記上部ガイドレールの垂直面および前記下部ガイドレールの垂直面に対向して両側に設けたことを特徴とする請求項１から請求項３のいずれか一項に記載のスイング訓練装置。
【請求項５】
前記上部ガイドレールの水平面の下面に対向して回転可能に設けられたローラを備えたことを特徴とする請求項１に記載のスイング訓練装置。
【請求項６】
前記可動体の中間部に複数のパイプを設け、このパイプを選択して前記グリップを取り付けるようにしたことを特徴とする請求項１から請求項５のいずれか一項に記載のスイング訓練装置。
【請求項７】
前記上部ガイドレールの垂直面および水平面に回転可能に設けられたローラをそれぞれ２対とし、それぞれ前記上部ガイドレールの円環状に沿って角度を持って取り付けたことを特徴とする請求項１から請求項６のいずれか一項に記載のスイング訓練装置。
【発明の詳細な説明】
【技術分野】
【０００１】
この発明は、野球などのバットスイング能力を向上させるスイング訓練装置に関するものである。
【背景技術】
【０００２】
従来、野球などのバッターのバッティング技術を上達させる練習装置としてバッターの手足の運動を検出して警告音を発生するものが知られている。（特許文献１参照）
【先行技術文献】
【特許文献】
【０００３】
【特許文献１】特開平５−１８４６９９号公報
【発明の概要】
【発明が解決しようとする課題】
【０００４】
上述の特許文献１に示されたスイング練習装置においては、スイング運動時にバッターの前足及び手首の所定の連続運動を検出して警告音を発生し、バッターが前足をステップするまではバットをスイングしないように訓練するものであるが、スイングそのものの能力を強化することができない問題がある。また、バットの重いものを使用してスイング練習し、スイング能力を強化することも知られている。しかしながら、この場合、スイングの軌道が安定したものとならず、バッティング技術の向上には疑問がある。
【０００５】
この発明は、上記のような問題点を解決するためになされたもので、スイングの軌道を安定させ、飛距離を大きくすることが可能となるスイング訓練装置を提供することを目的としている。
【課題を解決するための手段】
【０００６】
この発明に係るスイング訓練装置は、支持体と、この支持体に取り付けられた円環状の上部ガイドレールと、この上部ガイドレールにほぼ平行に前記支持体に取り付けられた円環状の下部ガイドレールと、前記上部ガイドレールおよび前記下部ガイドレールに係合し、回動可能に支持された可動体と、この可動体に取り付けられるグリップとを備え、前記上部ガイドレールは垂直面および水平面を有するとともに、前記下部ガイドレールは垂直面を有し、かつ、前記可動体は前記上部ガイドレールの垂直面および水平面と、前記下部ガイドレールの垂直面に対向してそれぞれ回転可能に設けられたローラを有し、前記可動体を前記上部ガイドレールおよび前記下部ガイドレールに沿って回動可能としたことを特徴とするものである。
【発明の効果】
【０００７】
この発明のスイング訓練装置によれば、スイングの軌道を安定させるとともに飛距離を大きくすることが可能となり、バッティング技術の向上を図ることができる。
【図面の簡単な説明】
【０００８】
【図１】この発明の実施の形態１に係るスイング訓練装置の全体構成および一部構成を示す概要図である。
【図２】この発明の実施の形態１に係るスイング訓練装置に用いられる上部ガイドレールを示す概要図である。
【図３】この発明の実施の形態１に係るスイング訓練装置に用いられる下部ガイドレールを示す概要図である。
【図４】この発明の実施の形態１に係るスイング訓練装置の要部構成を一部断面で示す概要図である。
【図５】この発明の実施の形態１に係るスイング訓練装置の要部構成を示す断面図である。
【図６】この発明の実施の形態１に係るスイング訓練装置に用いられるグリップを示す概要図である。
【図７】この発明の実施の形態２に係るスイング訓練装置の要部構成を示す概要図である。
【発明を実施するための形態】
【０００９】
実施の形態１．
以下、この発明を図に基づいて説明する。
図１は、この発明の実施の形態１に係るスイング訓練装置の全体構成および一部構成を示す概要図である。
図において、スイング訓練装置１００は、複数のレバーからなる支持体１と、この支持体１に固定された上部ガイドレール２と、上部ガイドレール２とほぼ平行となるように支持体１に固定された下部ガイドレール３と、上部ガイドレール２および下部ガイドレール３によって支持され、かつ、上部ガイドレール２および下部ガイドレール３に沿って回動可能に取り付けられた可動体４とを備えて構成されている。
【００１０】
ここで、上部ガイドレール２は、図２に示すようにＨ形鋼を円環状に湾曲させて形成され、また、下部ガイドレール３は、図３に示すようにＬ形鋼を円環状に湾曲させて形成されている。これらの支持体１、上部ガイドレール２および下部ガイドレール３は、スイング訓練中に全体が移動しないように建物などの構造物、または、地面などに固定された支柱１０に対し、上部ガイドレール２に取り付けられた支持棒１１を図１（Ｂ）に示すように回動可能に保持して構成されている。さらに、上部ガイドレール２には、複数の貫通孔が設けられた調整レバー１２が取り付けられ、この貫通孔を選択して支柱１０に連結することにより、一体とされた支持体１、上部ガイドレール２および下部ガイドレール３が支持棒１１を中心に回動させることが可能となり、全体として傾斜する角度を調整することが可能となるように構成されている。
なお、全体を傾斜させる角度とは、バットスイングによってボールの飛距離が最大となるようにスイングの軌道を設定するものであるが、訓練者の初期訓練時には、身体に過大なスイング負荷を課さないように調整可能としている。
【００１１】
図４は、図１におけるスイング訓練装置１００の要部構成を一部断面で示す概略図で、上部ガイドレール２および下部ガイドレール３に対し、可動体４が係合され、かつ、可動体４にグリップ５が取り付けられた状態を示している。なお、上部ガイドレール２および下部ガイドレール３には、可動体４が所定角度以上回動しないようにストッパ２ａ、３ａが設けられている。
図５は、図４におけるスイング訓練装置１００の要部構成を示す断面図で、特に、ガイドレールと可動体との関係を詳細に示している。
図において、可動体４は、上下に延長されたレバー本体４１と、レバー本体４１の上部および下部において一体に固定されたローラ支持部４２、４３と、上部のローラ支持部４２に支持され、上部ガイドレール２の垂直面の両面に対向して回転可能に設けられた一対のローラ４４と、ローラ支持部４２に支持され、上部ガイドレール２の水平面の上面に対向して回転可能に設けられた一対のローラ４５と、上部ガイドレール２の水平面の下面に対向して回転可能に設けられたローラ４６とを備えている。
【００１２】
また、可動体４は、下部のローラ支持部４３に支持され、下部ガイドレール３の垂直面両面に対向して回転可能に設けられた一対のローラ４７を備えている。
さらに、レバー本体４１の中間部には、複数のパイプ４８が固定されて構成されている。なお、レバー本体４１には負荷を調整するための重り４９がボルト締結により取付け可能に構成されている。
【００１３】
また、レバー本体４１のパイプ４８に挿入して連結され、可動体４全体を移動させるためのグリップ５が用意されている。このグリップ５は、図５および図６に示すようにパイプ４８に挿入する支持棒５１と、支持棒５１に対し回動可能に取り付けられ、スイング訓練者が握るグリップ本体５２と、支持棒５１をパイプ４８に取付けるボルトまたはピン５３とを備えている。ここで、グリップ５は、支持棒５１をパイプ４８に挿入した後、パイプ４８の先端から突出した支持棒５１の貫通穴にボルトまたはピン５３を挿入することによってパイプ４８に取り付けられている。このように構成することによって、グリップ５が可動体４から抜け落ちることを防止し、かつ、可動体４に対し、遊びを持たせて支持されることになり、手首に掛かる直接の反動を軽減することが可能となる。
【００１４】
次に、このように構成されたスイング訓練装置１００の使用方法、動作について説明する。
まず、調整レバー１２の貫通孔を選択してスイング訓練者に最適となるスイング訓練装置１００の傾斜角度を設定するとともに、自身の身長に相当する高さのパイプ４８にグリップ５の支持棒５１を挿入して固定する。次に、この状態でグリップ本体５２を円環状のガイドレール２、３に沿って可動体４を回動させると、ローラ４４、４５が上部ガイドレール２の垂直面および水平面に沿って回転しながら移動するとともに、ローラ４７が下部ガイドレール３の垂直面に沿って回転しながら移動し、可動体４全体がガイドレール２，３に沿ってスムーズに移動することになる。このとき、ローラ４４、４７によって、可動体４がガイドレール２，３から水平方向に脱落することを防止するとともに、ローラ４５，４６によって上部ガイドレール２の水平面上下面に接触させ、可動体４が上下方に移動してガイドレール２，３から脱落することを防止することになる。
【００１５】
したがって、スイング訓練者は、上部ガイドレール２の水平面に可動体４全体の重量を受けた状態で可動体４を回転させることになり、可動体４の重量に相当した力を必要としてスイングすることになる。このとき、可動体４に重り４９を選択して取付けることにより訓練者の体力に合わせた、または希望の負荷を発生させることができる。このような負荷を与えた状態で、ガイドレール２、３の軌道に沿って可動体４を移動させる動作を繰り返すことにより、スイングに必要となる訓練者の筋力を向上させることができるとともにガイドレール２、３の軌道に沿ったスイングとすることにより飛距離を最大とするフォームを体得することができ、バッティング技術を向上させることが可能となる。
【００１６】
以上説明したスイング訓練装置１００を使用してスイング練習を２００回〜３００回行わせたところ、実戦で大きな成果を得ることができ、スイング訓練装置としての効果を実証している。また、バッティングのみでなく、胸、両手、腕、背骨、腰、足首など体全体の筋力をバランスよく強化することが可能となり、ピッチングの向上にも良い影響を与えることができ、訓練装置として大きな効果を期待することができる。
【００１７】
図7は、この発明の実施の形態２に係るスイング訓練装置の要部構成を示す概要図であ
る。
この実施の形態２においては、レバー本体４１のローラ支持部４２をガイドレール２の円環状外周面に沿った角度とし、このローラ支持部４２に取り付けられるローラ４４、４５を２対としてそれぞれ角度を持って配置するように構成したものである。
このように構成することにより、円環状のガイドレール２に沿って可動体４を回動させる際、ローラ４４、４５が上部ガイドレール２の垂直面および水平面に沿って回転しながら移動することになり、可動体４をガイドレール２，３に沿ってスムーズに移動させるこ
とができる。
【００１８】
なお、上述の実施の形態においては、上部ガイドレール２をＨ形鋼としたが、垂直面と水平面を有するＴ形鋼を円環状とし、支持体１の先端を折り曲げて垂直面を固定するように構成してもよく、また、水平面の肉厚が変化するジョイスト鋼を使用してもよい。さらに、下部ガイドレール３についても、Ｌ形鋼でなくＩ形鋼を使用してもよい。また、支柱１０を用いてスイング訓練装置１００を固定するように構成したが、支持体１を延長して直接構造体に固定するように構成してもよい。さらにまた、ガイドレール２，３のストッパ２ａ,３ａに近接した円環部分を一部切除して、スイング訓練装置１００における訓練
者の入退出を容易にすることも可能である。また、可動体４を上方に押し上げる力が通常作用しないため、ローラ４６を省略しても操作に支障を生ずる恐れが少ないものとすることができる。
以上のように、この発明は、上述の実施の形態に限定されるものではなく、その要旨を逸脱しない範囲で適宜、変形、省略することが可能である。
【符号の説明】
【００１９】
１：支持体、    ２：上部ガイドレール、    ３：下部ガイドレール、
４：可動体、    ５：グリップ、          １０：支柱    １１：支持棒、
１２：調整レバー、    ４１：レバー本体、    ４２，４３：ローラ支持部、
４４，４５，４６，４７：ローラ、            ４８：パイプ、
４９：重り、    ５１；支持棒、    ５２：グリップ本体
【図１】
2018000655.tif 000003
【図２】
2018000655.tif 000004
【図３】
2018000655.tif 000005
【図４】
2018000655.tif 000006
【図５】
2018000655.tif 000007
【図６】
2018000655.tif 000008
【図７】
2018000655.tif 000009